(57)【要約】【課題】通常、紫外線カットできる帽子は、硬めの化学繊維のサンバイザーが付いており金具の付属品も数多く見られる。そのため強い風が吹く時や自転車に乗って着用した時などは、大変危険であった。また、使用しない時の収納もやりにくく持ち運びに不便であった。素肌と環境にもやさしく、紫外線カットに優れた綿１００％のみの柔らかい素材で美しく簡単に装着し、コンパクトに収納できる紫外線防止用キャップにもなる日よけを開発する。【解決手段】紫外線防止繊維からなっている生地を素材に、美しく整姿デザインできやすいように工夫した形の平面身頃に紐を円形に縫いつけることにより接合部に強度が増し、頭部部分から被いやすく、紐によって頭部に巻いて固着させて、頭部から首周り、上半身、全身を被い日光(特に紫外線)から簡単に防御でき、人と地球にやさしい綿１００％のみを素材としたエコロジー紫外線防止用紐付きキャップになるに日よけである。【選択図】図１
0003149215.tif 000002
【実用新案登録請求の範囲】
【請求項１】
綿織物で紫外線防止繊維からなって、綿繊維の平面布に、紐によって部分的固定して一体化し、頭部部分から被いやすくし、頭部から首周り、上半身、全身を被い日光(特に紫外線)から簡単に防御できるようにした、円、楕円、三角形、四角形、五角形、六角形、台形で、自由に美しく整姿デザインできやすいように工夫した形の平面の布形であって、紐によって頭部に固着させて、完全にキャップ状に使用していることを特徴としている簡易に収納できる紫外線防止用キャップになる日よけ。
【請求項２】
請求項１における綿織物で紫外線防止繊維は、綿糸であって、縦糸、横糸の太さを0.1ｍｍ〜１ｍｍで、ＵＶカット率99％以上の紫外線防止性、および、31.6ｃｍ3/ｃｍ2,sec以上の通気性および、３０％以上の保温性および、耐光と洗濯レベルで５級以上の堅牢性を備えている、綿100％素材の生地であって、肌に優しく、先染めした細番手の糸を幾重にも撚って、織糸を成形して織成した綿織物であることを特徴とした紫外線防止用キャップになる日よけ。
【請求項３】
請求項1において、紐は、幅１ｃｍ〜５ｃｍ、長さ１００ｃｍ〜２００ｃｍで、頭部の周りを結んで固定出来るようにして、平面の布に布の前先端から５ｃｍ〜１５ｃｍの位置に横方向で縫製によって固定していることを特徴としている簡易に収納できる紫外線防止用キャップになる日よけ。
【請求項４】
請求項1において、紐の縫い付け固定したものとは、帽子用平面布の前頭先端部分を中心に縦１ｃｍ〜５ｃｍ、横３ｃｍ〜２５ｃｍの長方形の類似の寸法である楕円形、または、直径２ｃｍ〜５ｃｍの円２〜５箇所で固定して、紐として結びができるように縫いつけ加工していることを特徴としている簡易に収納できる紫外線防止用キャップになる日よけ。
【請求項５】
請求項３における綿布は、頭から首肩、上半身、裾まで、紫外線から肌を防御出来るようにして、自然で美しいクレープを持つようにした紫外線防止用日よけであって、大きさによって膝掛け、ストール、マフラーとしても使用できることを特徴としている簡易に収納できる紫外線防止用キャップになる日よけ。
【考案の詳細な説明】
【技術分野】
【０００１】
本考案は、軽度の紫外線に弱い、皮膚の方々が手軽に且つあらゆる場面に於いても使用可能な形とした、紫外線防止キャップで有り、これらの方々が太陽光の下にいても自由に行動出来る様に、野外活動に対しての日焼け及び紫外線カットに優れ、布を用い、美しく簡単に装着して収納できる紫外線防止用キャップになる日よけの分野に関する。
【背景技術】
【０００２】
産業革命以降、鉱物資源特にエネルギー資源大量消費の結果、ＣＯ2の増加に伴い、地球はオゾン層破壊による温暖化と紫外線量の増加が生物へ悪影響し、近年、地球環境破壊の増加が全世界中で叫ばれている。
従来の日よけ用帽子は、何らかの形で素材に化学繊維もしくは、金属を使っており、通常大きめのツバが付いており、ずれやすいので運動性に欠け、ちょっとした風に弱く自転車に乗った姿は危険で、使用しないときの収納及び持ち運びは不便であった。また、プラスチック、金具等の付属品がついており、人にも環境にも優しくない。そして、ファッション性に欠け、使用目的が限定されている。
【０００３】
極度に紫外線に弱い皮膚の方々は、日除け帽子または日除け傘と紫外線帽子マスクを使用して、太陽光の下での屋外行動で有ったが、路面および廻りの壁等からの照り返しにて十分な紫外線防止対策が成されていなかった。しかし最近は郊外での活動により紫外線対策を施した帽子があるが、十分に効果を示しておらず利便性に欠ける。（特許文献１〜３参照）
【０００４】
紫外線に弱い方々が完全に紫外線を防御して、太陽光の下での行動をする場合は、紫外線防止衣服、帽子が必要で有り、とても現実的で無い紫外線防止用衣服で有った。着用とかデザインの点からも改良が必要とされている。（特許文献４〜５参照）
紫外線に対策できる繊維を開発されているが、まだ帽子として十分に用途展開がされていない状況である（特許文献６参照）。
【特許文献１】特開平１０−９６１１５号
【特許文献２】特開平１０−１５８９１７号
【特許文献３】特開２００２−２７５７２２号
【特許文献４】実案登録第３１２８４９１号
【特許文献５】実案登録第３１１５９３８号
【特許文献６】特開２００５-１５４９５７号
【考案の開示】
【考案が解決しようとする課題】
【０００５】
本考案は、上記課題を著しく解消するもので、日光及び紫外線に弱い皮膚の方々が野外で活動するとき、帽子としてのデザイン性もあり、また手軽に着用と収納ができる紫外線防止用キャップになる日よけであり、素材生地及び縫い糸をも全て、人と地球環境にやさしい天然素材の木綿１００％のみを材料として、日光及び紫外線から人体をやさしく守り、プラスチックなどの化繊および金属類の硬い付属品を一切使用せずに、地球環境にもやさしいエコロジー商品を開発した。
【課題を解決するための手段】
【０００６】
綿繊維の平面布に、紐を一部分固定して一体化し、頭部部分から被いやすくし、頭部から首周り、上半身、全身を被い日光(特に紫外線)から簡単に防御できるようにした、円、楕円、三角形、四角形、五角形、六角形、台形、及びその他の多角形で、自由に美しく整姿デザインできやすいように工夫した形の平面の布形であって、紐によって頭部に固着させて、完全にキャップ状に使用している。
【０００７】
紐は、幅１ｃｍ〜５ｃｍ、長さ８０ｃｍ〜２００ｃｍで、頭部の周りを結んで固定出来るようにして、オーバーロック縫いなどで始末した平面の布に前頭部に当たる先端から０ｃｍ〜１５ｃｍの位置に横方向で縫製によって固定していることを特徴としている簡易に収納できる、紫外線防止用キャップになる日よけである。
【０００８】
紐の縫い付け固定したものとは接合部の縫い付けの方法であり、試行錯誤の結果、直線縫い及び角をつけた縫い方をすると素材自体を傷め、破く恐れが大きいため、身頃部分の前頭部の中心よりに縦１〜５ｃｍ、横５〜１５ｃｍの長方形に内接する楕円形１箇所又は、直径１ｃｍ〜５ｃｍ真円形に１箇所〜５箇所で、結びができるように紐を縫いつけ加工の事で、好ましくは、直径3ｃｍ．の真円形２箇所で縫い付けて接合する。
【０００９】
綿織物で紫外線防止繊維は、綿糸であって、縦糸、横糸の太さを０．１ｍｍ〜１ｍｍで、ＵＶカット率９９％以上の紫外線防止性、および、３１cm3／ｃｍ２・ｓｅｃ．以上の通気性および、３０％以上の保温性および、耐光と洗濯レベルで５級以上の堅牢性を備えている、綿100％素材の生地であって、肌に優しく、先染めした細番手(９０番手)の糸を幾重にも撚って織糸を成形して、光を遮断するように織成した先染め綿織物である（添付表１参照）。  
【表１】
0003149215.tif 000003
【考案の効果】
【００１０】
綿布は、頭から首肩、上半身、裾までと、大きさと形状を違わせ、用途に応じて紫外線から肌を防御出来るようにして、自然で美しいクレープ(ひだ)を持つようにした紫外線防止用日よけであって、大きさと形によって頭部に日よけとして使用しない場合は簡単にたたんで小さく収納でき、また、紐部分を蝶結びして納めれば簡単に、肩当て、膝掛け、ストール、マフラーとしても使用できる、多目的な用途のある紫外線防止用キャップ及び日よけである。
【考案を実施するための最良の形態】
【００１１】
図１から図４に簡単に装着及び収納できる紫外線防止用キャップになる便利な日よけを示す、詳細は実施例において説明する。
【実施例１】
【００１２】
独特の作り方と出来た状態を示す。
・  デザインと用途によって、身頃用と紐用にカットした１枚布の強度を上げ、ほつれない様に、オーバーロック縫い又は、千鳥縫いでもしくは、折り曲げ縫いとの併用で始末する。
・  １で仕上がった布の身頃の頭部額部分中心から０ｃｍ．〜１０ｃｍ．の所に紐を、楕円形もしくは、真円形２から５箇所で縫い付けて完成する。好ましくは、真円形に2ケ所以上の縫い付けした方が、接合部分の強度が増し、生地を傷めない。
【実施例２】
【００１３】
(図１−ｂ)のように装着もしくは、図４の様にまげ込んでの使用もできて、大変柔らかい１００％のみ素材で装着と収納が簡単に出来て、また、小さく折ってたたむ事が出来るので持ち運びにも便利である。
【実施例３】
【００１４】
紫外線の遮断に優れ、柔らかい生地のために、たたまずに紐の部分を蝶結びすれば、かさばらずに、そのまま広く身頃の形に応じて、ひざ掛け、マフラー、ストール、日よけなどの使用もできる。
【実施例４】
【００１５】
ランニング等の運動中に、ツバのついた帽子であれば風および振動によってずれたり飛んだりして使いづらかったが、本開発品は、綿１００％の１枚布で軽く、紐で体に使用者が自由に縛る強さを調整できるので、ずれずに使いやすい。
【実施例５】
【００１６】
農作業やガーデニング、スポーツ観戦など野外での作業活動ときは、両サイド、顔から首筋また大きさによっては全身まで素肌をおおうことができ、紫外線はもとより汚れも防ぐことができる。また、綿１００％の独自の細綿ですので、汗をかいてもタオル代りにも使用でき便利である。
【実施例６】
【００１７】
綿１００％の柔らかい１枚布で出来ておりますので、バイクや作業ヘルメット、他の帽子等のアンダーキャップとして使用すれは、汗をかいてもべとつかず、例えばヘルメット自体への整髪料や匂い、髪の汚れ等が移るのを防ぐ事ができるし、逆にヘルメットのから人の頭部への移りも気にならない。
【図面の簡単な説明】
【００１８】
【図１】(a)は、顔まわりに多くクレープ(ひだ)が出来るには、半月状にカットして、ほつれ防止の加工を施した身頃に、ほつれ加工した紐を真円形に２箇所縫いつけた状態であり、(b)は、その完成品を着用した正面図で(c)は、後ろから見た図。
【図２】(a)は、顔まわりに少ないクレープが出来るような身頃裁断に紐を縫いつけた状態で、(b)は、装着後の正面図であり、(c)は、左側面図、(d)は、後ろから見た図。(e)は、体のほとんど和覆うように、丈にあわせて(符号２)の方向に伸ばして裁断した身頃部分を、縫製仕上げた正面図であり、(f)は、後ろ姿。
【図３】(a)は、マフラーもしくはストールの中央に紐を縫いつけた状態で、(ｂ)は、その正面図であり、(ｃ)は、左側面図で、(ｄ)は、後ろ姿。
【図４】(a)は、肩までサイズ(図１−a)を額の部分で折り曲げて、着用した状態の左側面図であり、(b)は正面図で、(e)は、円と円の間に前ツバ部分を挟み込んだ正面図であり、(d)は、後ろ姿。
【符号の説明】
【００１９】
１．３ｃｍ．の真円で２箇所縫い付けた例
２．丈を伸ばす方向
３．楕円形に１箇所縫い付けた例
【図１】
0003149215.tif 000004
【図２】
0003149215.tif 000005
【図３】
0003149215.tif 000006
【図４】
0003149215.tif 000007
【手続補正書】
【提出日】平成21年1月13日(2009.1.13)
【手続補正１】
【補正対象書類名】実用新案登録請求の範囲
【補正対象項目名】全文
【補正方法】変更
【補正の内容】
【実用新案登録請求の範囲】
【請求項１】
綿織物で紫外線防止繊維からなって、綿繊維の平面布に、紐によって部分的固定して一体化し、頭部部分から被いやすくし、頭部から首周り、上半身、全身を被い日光(特に紫外線)から簡単に防御できるようにした、円、楕円、三角形、四角形、五角形、六角形、台形で、自由に美しく整姿デザインできやすいように工夫した形の平面の布形であって、紐によって頭部に固着させるために紐を縫い付けて固定させ、完全にキャップ状に使用していることを特徴としている簡易に収納できる紫外線防止用キャップになる日よけ。
【請求項２】
請求項１における紫外線防止繊維は、綿糸であって、縦糸、横糸の太さを０．１ｍｍ〜１ｍｍで、ＵＶカット率９９％以上の紫外線防止性、および、31.6cm3/cm2,sec以上の通気性および、３０％以上の保温性および、耐光と洗濯レベルで５級以上の堅牢性を備えている、綿100％素材の生地であって、肌に優しく、先染めした細番手の糸を幾重にも撚って、織糸を成形して織成した綿織物であることを特徴とした紫外線防止用キャップになる日よけ。
【請求項３】
請求項1において、縫い付け固定させた紐は、幅１ｃｍ〜５ｃｍ、長さ１００ｃｍ〜２００ｃｍで、頭部の周りを結んで固定出来るようにして、平面の布に布の前先端から５ｃｍ〜１５ｃｍの位置に横方向で縫製によって固定していることを特徴としている簡易に収納できる紫外線防止用キャップになる日よけ。
【請求項４】
請求項1において、縫い付け固定した紐は、帽子用平面布の前頭先端部分を中心に縦１ｃｍ〜５ｃｍ、横３ｃｍ〜２５ｃｍの長方形の類似の寸法である楕円形、または、直径２ｃｍ〜５ｃｍの円２〜５箇所で固定して、紐として結びできるように縫いつけ加工していることを特徴としている簡易に収納できる紫外線防止用キャップになる日よけ。
【請求項５】
請求項３における綿繊維は、頭から首肩、上半身、裾まで、紫外線から肌を防御出来るようにして、自然で美しいクレープを持つようにした紫外線防止用日よけであって、大きさによって膝掛け、ストール、マフラーとしても使用できることを特徴としている簡易に収納できる紫外線防止用キャップになる日よけ。
【手続補正２】
【補正対象書類名】明細書
【補正対象項目名】全文
【補正方法】変更
【補正の内容】
【考案の詳細な説明】
【技術分野】
【０００１】本考案は、軽度の紫外線に弱い、皮膚の方々が手軽に且つあらゆる場面に於いても使用可能な形とした、紫外線防止キャップで有り、これらの方々が太陽光の下にいても自由に行動出来る様に、野外活動に対しての日焼け及び紫外線カットに優れ、布を用い、美しく簡単に装着して収納できる紫外線防止用キャップになる日よけの分野に関する。
【背景技術】
【０００２】産業革命以降、鉱物資源特にエネルギー資源大量消費の結果、ＣＯ2の増加に伴い、地球はオゾン層破壊による温暖化と紫外線量の増加が生物へ悪影響し、近年、地球環境破壊の増加が全世界中で叫ばれている。従来の日よけ用帽子は、何らかの形で素材に化学繊維もしくは、金属を使っており、通常大きめのツバが付いており、ずれやすいので運動性に欠け、ちょっとした風に弱く自転車に乗った姿は危険で、使用しないときの収納及び持ち運びは不便であった。また、プラスチック、金具等の付属品がついており、人にも環境にも優しくない。そして、ファッション性に欠け、使用目的が限定されている。【０００３】極度に紫外線に弱い皮膚の方々は、日除け帽子または日除け傘と紫外線帽子マスクを使用して、太陽光の下での屋外行動で有ったが、路面および廻りの壁等からの照り返しにて十分な紫外線防止対策が成されていなかった。しかし最近は郊外での活動により紫外線対策を施した帽子があるが、十分に効果を示しておらず利便性に欠ける。（特許文献１〜３参照）【０００４】紫外線に弱い方々が完全に紫外線を防御して、太陽光の下での行動をする場合は、紫外線防止衣服、帽子が必要で有り、とても現実的で無い紫外線防止用衣服で有った。着用とかデザインの点からも改良が必要とされている。（特許文献４〜５参照）紫外線に対策できる繊維を開発されているが、まだ帽子として十分に用途展開がされていない状況である（特許文献６参照）。【特許文献１】特開平１０−９６１１５号
【特許文献２】特開平１０−１５８９１７号
【特許文献３】特開２００２−２７５７２２号
【特許文献４】実案登録第３１２８４９１号
【特許文献５】実案登録第３１１５９３８号
【特許文献６】特開２００５-１５４９５７号
【考案の開示】
【考案が解決しようとする課題】
【０００５】本考案は、上記課題を著しく解消するもので、日光及び紫外線に弱い皮膚の方々が野外で活動するとき、帽子としてのデザイン性もあり、また手軽に着用と収納ができる紫外線防止用キャップになる日よけであり、素材生地及び縫い糸をも全て、人と地球環境にやさしい天然素材の木綿１００％のみを材料として、日光及び紫外線から人体をやさしく守り、プラスチックなどの化繊および金属類の硬い付属品を一切使用せずに、地球環境にもやさしいエコロジー商品を開発した。
【課題を解決するための手段】
【０００６】綿繊維の平面布に、紐を一部分固定して一体化し、頭部部分から被いやすくし、頭部から首周り、上半身、全身を被い日光(特に紫外線)から簡単に防御できるようにした、円、楕円、三角形、四角形、五角形、六角形、台形、及びその他の多角形で、自由に美しく整姿デザインできやすいように工夫した形の平面の布形であって、紐によって頭部に固着させるために紐を縫い付け固定させて、完全にキャップ状に使用している。【０００７】前記の縫い付け固定させた紐は、幅１ｃｍ〜５ｃｍ、長さ８０ｃｍ〜２００ｃｍで、頭部の周りを結んで固定出来るようにして、オーバーロック縫いなどで始末した平面の布に前頭部に当たる先端から０ｃｍ〜１５ｃｍの位置に横方向で縫製によって固定していることを特徴としている簡易に収納できる、紫外線防止用キャップになる日よけである。【０００８】紐の縫い付け固定したものとは、接合部の縫い付けの方法であり、試行錯誤の結果、直線縫い及び角をつけた縫い方をすると素材自体を傷め、破く恐れが大きいため、身頃部分の前頭部の中心よりに縦１〜５ｃｍ、横５〜１５ｃｍの長方形に内接する楕円形１箇所又は、直径１ｃｍ〜５ｃｍ真円形に１箇所〜５箇所で、結びができるように紐を縫いつけ加工することであり、好ましくは、直径3ｃｍの真円形にて２箇所で縫い付けて接合する。【０００９】綿織物で紫外線防止繊維は、綿糸であって、縦糸、横糸の太さを０．１ｍｍ〜１ｍｍで、ＵＶカット率９９％以上の紫外線防止性、および、３１cm3／ｃｍ２・ｓｅｃ．以上の通気性および、３０％以上の保温性および、耐光と洗濯レベルで５級以上の堅牢性を備えている、綿100％素材の生地であって、肌に優しく、先染めした細番手(９０番手)の糸を幾重にも撚って織糸を成形して、光を遮断するように織成した先染め綿織物である（添付表１参照）。【表１】
0003149215.tif 000008
【考案の効果】
【００１０】綿織物は、頭から首肩、上半身、裾までと、大きさと形状を違わせ、用途に応じて紫外線から肌を防御出来るようにして、自然で美しいクレープ(ひだ)を持つようにした紫外線防止用日よけであって、大きさと形によって頭部に日よけとして使用しない場合は簡単にたたんで小さく収納でき、また、紐部分を蝶結びして納めれば簡単に、肩当て、膝掛け、ストール、マフラーとしても使用できる、多目的な用途のある紫外線防止用キャップ及び日よけである。
【考案を実施するための最良の形態】
【００１１】図１から図４に簡単に装着及び収納できる紫外線防止用キャップになる便利な日よけを示す、詳細は実施例において説明する。
【実施例１】
【００１２】以下に独特の作り方と出来た状態を示す。１）デザインと用途によって、身頃用と紐用にカットした１枚布の強度を上げ、ほつれない様に、オーバーロック縫い又は、千鳥縫いでもしくは、折り曲げ縫いとの併用で始末する。２）１）で仕上がった布の身頃の頭部額部分中心から０ｃｍ．〜１０ｃｍ．の所に紐を、楕円形もしくは、真円形２から５箇所で縫い付けて完成する。好ましくは、真円形に2ケ所以上の縫い付けした方が、接合部分の強度が増し、生地を傷めない。
【実施例２】
【００１３】図１−ｂのように装着もしくは、図４の様にまげ込んでの使用もできて、大変柔らかい１００％のみ素材で装着と収納が簡単に出来て、また、小さく折ってたたむ事が出来るので持ち運びにも便利であった。
【実施例３】
【００１４】紫外線の遮断に優れ、柔らかい生地のために、たたまずに紐の部分を蝶結びすれば、かさばらずに、そのまま広く身頃の形に応じて、ひざ掛け、マフラー、ストール、日よけなどの使用もできる。
【実施例４】
【００１５】ランニング等の運動中に、ツバのついた帽子であれば風および振動によってずれたり飛んだりして使いづらかったが、本開発品は、綿１００％の１枚布で軽く、紐で体に使用者が自由に縛る強さを調整できるので、ずれずに使いやすい。
【実施例５】
【００１６】農作業やガーデニング、スポーツ観戦など野外での作業活動ときは、両サイド、顔から首筋また大きさによっては全身まで素肌をおおうことができ、紫外線はもとより汚れも防ぐことができた。また、綿１００％の独自の細綿ですので、汗をかいてもタオル代りにも使用でき便利であった。
【実施例６】
【００１７】綿１００％の柔らかい１枚布で出来ておりますので、バイクや作業ヘルメット、他の帽子等のアンダーキャップとして使用すれは、汗をかいてもべとつかず、例えばヘルメット自体への整髪料や匂い、髪の汚れ等が移るのを防ぐ事ができるし、逆にヘルメットのから人の頭部への移りも気にならない。
【図面の簡単な説明】
【００１８】
【図１】(a)は、顔まわりに多くクレープ(ひだ)が出来るには、半月状にカットして、ほつれ防止の加工を施した身頃に、ほつれ加工した紐を真円形に２箇所縫いつけた状態であり、(b)は、その完成品を着用した正面図で、(c)は後ろから見た図。
【図２】(a)は、顔まわりに少ないクレープが出来るような身頃裁断に紐を縫いつけた状態で、(b)は、装着後の正面図であり、(c)は、左側面図、(d)は、後ろから見た図。(e)は、体のほとんど和覆うように、丈にあわせて(符号２)の方向に伸ばして裁断した身頃部分を、縫製仕上げた正面図であり、(f)は、後ろ姿。
【図３】(a)は、マフラーもしくはストールの中央に紐を縫いつけた状態で、(ｂ)は、その正面図であり、(ｃ)は、左側面図で、(ｄ)は、後ろ姿。
【図４】(a)は、肩までサイズ(図１−a)を額の部分で折り曲げて、着用した状態の左側面図であり、(b)は正面図で、(e)は、円と円の間に前ツバ部分を挟み込んだ正面図であり、(d)は、後ろ姿。
【符号の説明】
【００１９】１．３ｃｍ．の真円で２箇所縫い付けた例２．丈を伸ばす方向３．楕円形に１箇所縫い付けた例